(57)【要約】【課題】本発明は、タッチスクリーン液晶表示装置のタイミング調整方法に関するものであり、より詳細には、データピクセルが連結されたデータラインとリードピクセルが連結されたリードラインが一つの共有ラインを形成する構造の液晶モジュールを利用してデータをピクセルに保存してタッチ情報をリードアウトすることにおいて、ディスプレイモードとリードモードとの相互間に及ぶ影響を最小化することができるようにデザインされたタッチスクリーン液晶表示装置のタイミング調整方法を提供する。【解決手段】本発明によるタッチスクリーン液晶表示装置のタイミング調整方法によれば、リードモードの動作前に共有ラインを任意の基準電圧に初期化して、ディスプレイモードの動作前にすべてのラインを一定電圧に初期化することで、リードモードとディスプレイモードとの相互間に及ぶ影響を最小化させることができる長所がある。【選択図】図３
2011043813.tif 000002
【特許請求の範囲】
【請求項１】
タッチスクリーン液晶表示装置のタイミング調整方法において、
前記タッチスクリーン液晶表示装置の液晶モジュールは、データピクセルが連結されるデータラインとリードピクセルが連結されるリードラインが共有ラインによって共有される構造を有して、
前記データピクセルのデータをディスプレイするディスプレイモード区間と前記リードピクセルのデータをリードするリードモード区間が分離されて動作することを特徴とするタッチスクリーン液晶表示装置のタイミング調整方法。
【請求項２】
前記リードモード区間は、
前記ディスプレイモード区間終了後に前記共有ラインを基準電圧に初期化する共有ライン初期化区間と、
前記リードピクセルのデータを保存して処理するリードアウト区間と、及び
次のディスプレイモード区間が始まる前に前記共有ライン及び前記データラインを任意の動作電圧に初期化する共有ライン及びデータライン初期化区間を具備することを特徴とする請求項１に記載のタッチスクリーン液晶表示装置のタイミング調整方法。
【請求項３】
前記リードアウト区間は、
前記リードピクセルのデータを保存するリードデータ保存区間と、及び
前記保存されたリードピクセルのデータをデジタル信号に変換させるリードデータ変換区間を具備することを特徴とする請求項２に記載のタッチスクリーン液晶表示装置のタイミング調整方法。
【請求項４】
前記共有ライン及びデータライン初期化区間は、
前記共有ライン及び前記データラインを前記動作電圧に初期化すると共に前記デジタル信号をタイミング制御部に送ることを特徴とする請求項２に記載のタッチスクリーン液晶表示装置のタイミング調整方法。
【請求項５】
前記動作電圧は、
前記タッチスクリーン液晶表示装置の最大動作電圧(ＶＤＤ)の半分値を有することを特徴とする請求項２ないし４のうちいずれか一つに記載のタッチスクリーン液晶表示装置のタイミング調整方法。
【発明の詳細な説明】
【技術分野】
【０００１】
本発明は、タッチスクリーン液晶表示装置のタイミング調整方法に関するものであり、より詳細には、データピクセルが連結されたデータラインとリードピクセルが連結されたリードラインが一つの共有ラインを形成する構造の液晶モジュールを利用してデータをピクセルに保存して、タッチ情報をリードアウトすることにおいて、ディスプレイモードとリードモードとの相互間に及ぶ影響を最小化することができるようにデザインされたタッチスクリーン液晶表示装置のタイミング調整方法に関するものである。
【背景技術】
【０００２】
最近になってグラフィック使用者インターフェース(Graphic User Interface:以下‘ＧＵＩ’と称する)システムの発達及び大衆化によって入力が簡単なタッチスクリーン液晶表示装置の使用が普遍化されている。タッチスクリーン液晶表示装置とは、キーボードとマウスを取り替える入力装置としてタッチパネルを液晶表示パネル上に装着した後タッチパネルを直接手でタッチして願う作業を遂行する。
【０００３】
タッチスクリーン液晶表示装置は、ウィンドウ運営体制のようなＧＵＩ(Graphic User Interface)環境下で業務遂行が容易な装置として、事務自動化応用分野、ゲーム応用分野及びモバイル機器分野などで広く使われることができる。
【０００４】
このようなタッチスクリーン液晶表示装置には大きく、抵抗膜方式、静電容量方式、光学方式、超音波方式及び電磁気的方式などがあり、最近にはタッチスクリーン液晶表示装置の厚さを減少させるために、液晶表示パネルの内部にタッチパネルの機能を内蔵させた一体型静電容量方式のタッチスクリーン液晶表示装置に対する研究が進行中にある。
【０００５】
前記したタッチスクリーン液晶表示装置は、映像情報をディスプレイする液晶パネル、液晶パネルに付着するタッチパネル、コントローラ、ソースドライバーＩＣなどを基本構成とする。
【０００６】
静電容量方式のタッチスクリーン液晶表示装置は、基板上に一定な間隔を置いて入力キーに対応する複数の極板を配置して、これら極板に電圧を印加する構成でなされているし、人の手が極板に接触される時に手と極板との間の誘電率による寄生静電容量を感知するか、または押された圧力によってリードピクセルの変化された静電容量(capacitance)を感知してどのような極板が選択されたかを判断して、判断された入力信号を端末機の中央処理装置(ＣＰＵ)に送って、該当入力信号に対応する入力が実行されるようにする方式で作動する。
【０００７】
図１は、従来技術による静電容量方式のタッチスクリーン液晶表示装置の液晶モジュール及びデータ駆動回路を示す回路図である。
【０００８】
図１を参考すれば、従来技術によるタッチスクリーン液晶表示装置の液晶モジュール１１０は、基板上にゲート信号を伝達する複数のゲートライン(Ｇ１、Ｇ２、Ｒｅａｄ＿Ｇ１、Ｇ３)とデータ信号を伝達する複数のデータライン(ＣＨ１〜ＣＨ４)及び保存された情報を読み込むリードライン(ＣＨＲＥＡＤ)が形成されているし、データライン(ＣＨ１〜ＣＨ４)とリードライン(ＣＨＲＥＡＤ)が分離されていることが分かる。
【０００９】
図１に示されたところのように従来の静電容量方式のタッチスクリーン液晶表示装置の液晶モジュール１００は、データラインとリードラインが分離されていて、データ駆動回路(ＳＤ-ＩＣ)のチャンネル出力負荷(channel output load)が全チャンネルにかけて等しくて、したがって、出力波形も等しくなる。しかし、前記構造の液晶モジュールは、リードピクセルが増加するほどＲ、Ｇ、Ｂのデータピクセルの開口率が減少されて大きいサイズの液晶パネルが要求されるなどの問題があった。
【００１０】
これにデータラインとリードラインとを共有する構造のタッチスクリーン液晶表示装置及びその駆動時タイミングの調整方法に対する研究開発の必要性が増大されている。
【発明の概要】
【発明が解決しようとする課題】
【００１１】
本発明が解決しようとする技術的課題は、データラインとリードラインとが一つの共有ラインを形成する構造のタッチスクリーン液晶表示装置において、ディスプレイモードとリードモードとの相互間に及ぶ影響を最小化することができるようにデザインされたタッチスクリーン液晶表示装置のタイミング調整方法を提供することにある。
【課題を解決するための手段】
【００１２】
前記課題を達成するための本発明によるタッチスクリーン液晶表示装置のタイミング調整方法は、前記タッチスクリーン液晶表示装置の液晶モジュールは、データピクセルが連結されるデータラインとリードピクセルが連結されるリードラインが共有ラインによって共有される構造を有して、前記データピクセルのデータをディスプレイするディスプレイモード区間と前記リードピクセルのデータをリードするリードモード区間が分離されて動作することを特徴とする。
【発明の効果】
【００１３】
本発明によるタッチスクリーン液晶表示装置のタイミング調整方法によれば、リードモードの動作前に共有ラインを任意の基準電圧に初期化して、ディスプレイモードの動作前に共有ライン及びデータラインを一定電圧に初期化することでリードモードとディスプレイモードとの相互間に及ぶ影響を最小化させることができる長所がある。
【図面の簡単な説明】
【００１４】
【図１】従来技術による静電容量方式のタッチスクリーン液晶表示装置の液晶モジュールの構造を示す回路図である。
【図２】本発明によるタッチスクリーン液晶表示装置のタイミング調整方法を適用するためのデータラインとリードラインが共有された構造を有する液晶モジュール及びデータ駆動回路を示す回路図である。
【図３】本発明によるタッチスクリーン液晶表示装置のタイミング調整方法を示す図面である。
【図４】本発明によるタッチスクリーン液晶表示装置のタイミング調整方法のリードモードでのタイミングを具体的に示す図面である。
【発明を実施するための形態】
【００１５】
以下では本発明の具体的な実施例を、図面を参照して詳しく説明するようにする。
【００１６】
図２は、本発明によるタッチスクリーン液晶表示装置のタイミング調整方法を適用するためのデータラインとリードラインが共有された構造を有する液晶モジュール及びデータ駆動回路を示す回路図である。
【００１７】
図２に示されたところのようにデータラインとリードラインが共有された構造を有する液晶モジュール２１０は、基板上にゲート信号を伝達する複数のゲートライン(Ｇ１、Ｇ２、ＲｅａｄＧ１、Ｇ３)とデータ信号を伝達する複数のデータライン(ＣＨ１、ＣＨ２、ＣＨ３、ＣＨ４)及び保存された情報を読み込むリードライン(ＣＨＲＥＡＤ)が形成されているし、リードライン(ＣＨＲＥＡＤ)が複数のデータライン(ＣＨ１、ＣＨ２、ＣＨ３、ＣＨ４)のうち一つのデータライン(ＣＨ４)と共有されていることが分かる。
【００１８】
また、データラインとリードラインが共有された構造においては、共有ラインと連結されるデータ駆動回路２２０のパッドも共有されていることが分かる。
【００１９】
このようにリードラインとデータラインを共有する構造の液晶モジュールを利用することでＲ、Ｇ、Ｂデータピクセルの開口率を増加させて、データ駆動回路のパッド数を減らすことができるし、チップのサイズを減少させることができる効果がある。
【００２０】
しかし、このような構造のタッチスクリーン液晶表示装置においては、データラインとリードラインが共有されているためにディスプレイ動作とリード動作を同時に遂行することができなくなる。したがって、ディスプレイモードとリードモードを区分して動作を遂行しなければならないし、ディスプレイモードとリードモードとの相互間に影響を与えないようにタイミングを調整しなければならない必要がある。
【００２１】
図３は、本発明によるタッチスクリーン液晶表示装置のタイミング調整方法を示す図面である。
【００２２】
図３に示されたところのように本発明によるタッチスクリーン液晶表示装置は、ディスプレイモード(Display Mode)とリードモード(Read Mode)が区分されていることが分かる。
【００２３】
図３ではディスプレイモードでデータライン(data line)と共有ライン(share line)が垂直２ドット反転方式によって動作することで現わしたが、これは一つの実施例に過ぎないものであり、垂直１ドット反転方式またはライン反転方式など多様な形態に変形して使用することができる。
【００２４】
点線で表示されたデータラインの場合ディスプレイモードのうちでＤ１区間及びＤ２区間では(-)の極性を有して、Ｄ３区間及びＤ４区間では(+)の極性を有する。リードモードではリードピクセルだけが動作して、データピクセルは動作しないためにデータラインは液晶表示装置の最大動作電圧(ＶＤＤ)の半分である１/２ＶＤＤ値を維持する。
【００２５】
この時、リードモード区間でデータラインは、最大動作電圧(ＶＤＤ)の範囲内で任意の値を有することができるが、次のデータ伝送時に均一な時間を有するようにするためには最大動作電圧(ＶＤＤ)の半分である１/２ＶＤＤ値を維持することが望ましい。
【００２６】
リードモードが終わって再びディスプレイモードで動作する場合には、前記したＤ１区間ないしＤ４区間の動作を繰り返すようになる。
【００２７】
一方、実線で表示された共有ラインの場合ディスプレイモードのうちでＤ１区間及びＤ２区間では(+)の極性を有して、Ｄ３区間及びＤ４区間では(-)の極性を有する。ディスプレイモードが終わってリードモードで動作する場合リードモードに入って行く前に共有ラインを所定の基準電圧(reference voltage；Ｖｒｅｆ)で初期化する。
【００２８】
共有ラインの場合ディスプレイモード中に(+)の極性及び(-)の極性を持ったデータをスキャンする過程でそれぞれ相異なデータが保存され得て、これによりリードモード動作中に相異なデータをリードアウトすることで誤りが発生することがあるためにこれを均一な値で整理するために所定の基準電圧(reference voltage；Ｖｒｅｆ)に初期化するものである。
【００２９】
一方、リードモードが終わって再びディスプレイモードで動作する場合ディスプレイモードに入って行く前に共有ライン及びデータラインを最大動作電圧(ＶＤＤ)の半分である１/２ＶＤＤに初期化して次のデータ伝送時に均一な時間を有するようにする。
【００３０】
図４は、本発明によるタッチスクリーン液晶表示装置のタイミング調整方法のリードモードでのタイミングを具体的に示す図面である。
【００３１】
図４に示されたところのようにリードモードでの動作のためのタイミングシーケンスはＴ１ないしＴ４の４個の区間で分けられることができる。
【００３２】
先ず、共有ライン初期化区間(Ｔ１)ではリードアウト動作を遂行する前にデータラインらは１/２ＶＤＤを維持するようにして、共有ラインらは任意の基準電圧(Ｖｒｅｆ)で初期化させる。
【００３３】
前で説明したところのようにデータラインらは、タッチスクリーン液晶表示装置の最大動作電圧(ＶＤＤ)の範囲内で任意の電圧を維持できるようにすることもできるが、次のデータ伝送時に均一な時間を有することができるようにするために１/２ＶＤＤを維持することが望ましい。
【００３４】
リードアウト区間(Ｔ２)では、リードピクセルのゲート信号に回答してリードピクセルがターンオンされてタッチスクリーンパネルのリードピクセルのデータを受け入れて保存するようになる。
【００３５】
デジタル信号変換区間(Ｔ３)では保存されたリードピクセルのデータらをアナログ-デジタル変換器(ＡＤＣ)でデジタル信号に変換させる。この時データラインらは１/２ＶＤＤを維持して、共有ラインらは任意の基準電圧(Ｖｒｅｆ)を維持する。
【００３６】
共有ライン及びデータライン初期化区間(Ｔ４)ではまずアナログ-デジタル変換器(ＡＤＣ)で処理されたデジタル信号をタイミング制御部に送ると共に、ディスプレイモードに進入する前に共有ライン及びデータラインを１/２ＶＤＤ電圧に初期化させる。
【００３７】
前記したところのようにディスプレイモード動作が終わった後リードモードで動作する前に共有ラインを任意の基準電圧(Ｖｒｅｆ)に初期化することでディスプレイモード動作中に保存された相異なデータ値がリードモード動作中にリードアウトされないようにする。
【００３８】
また、リードモード動作が終わった後再びディスプレイモードで動作する前に共有ライン及びデータラインを１/２ＶＤＤ電圧に初期化することで次のデータ伝送時に均一な時間を有するようにする。
【００３９】
以上では本発明に対する技術思想を添付図面と共に敍述したが、これは本発明の望ましい実施例を例示的に説明したものであって、本発明を限定するものではない。また、本発明が属する技術分野で通常の知識を持った者なら誰も本発明の技術的思想の範疇を離脱しない範囲内で多様な変形及び模倣が可能であることは明白な事実である。
【符号の説明】
【００４０】
２１０  液晶モジュール
２２０  データ駆動回路
【図１】
2011043813.tif 000003
【図２】
2011043813.tif 000004
【図３】
2011043813.tif 000005
【図４】
2011043813.tif 000006